(57)【要約】【課題】小型情報記録カードの抜差しの際に落としたり、紛失したりする虞のない、保管管理に優れたカードホルダ及びこのカードホルダを取付けた携帯ストラップを提供する。【解決手段】ＳＤカード２を保持するカードホルダ１であって、ＳＤカード２の一部を収容するホルダ室１１と、ＳＤカード２の窪み２２と係合してＳＤカード２を保持する弾性突起１２とを有する。【選択図】  図３
2004326550.tif 000002
【特許請求の範囲】
【請求項１】
小型情報記録カードを保持するカードホルダであって、
前記小型情報記録カードの一部を収容するホルダ室と、
前記小型情報記録カードと係合して前記小型情報記録カードを前記ホルダ室内に保持する係合手段とを有することを特徴とするカードホルダ。
【請求項２】
前記係合手段は、前記ホルダ室に設けた弾性突起又は窪みからなる係合部で構成し、
前記係合部は、前記小型情報記録カードの表面に設けた被係合部を構成する窪み又は弾性突起に係合することを特徴とする請求項１記載のカードホルダ。
【請求項３】
前記ホルダ室は、
前記小型情報記録カードを挿入のための第１の開口部と、
前記第１の開口部への前記小型情報記録カードの挿入方向とは異なる方向に前記小型情報記録カードを抜出するための第２の開口部と
を有することを特徴とする請求項１又は２記載のカードホルダ。
【請求項４】
前記第２の開口部を塞いで前記小型情報記録カードを抜出するのを阻止する方向に移動可能な抜出阻止手段を備えたことを特徴とする請求項３記載のカードホルダ。
【請求項５】
前記抜出阻止手段は、前記カードホルダの本体部分を両側から挟み込む２本のレールを含み、
前記ホルダ室は、前記２本のレールの間を移動可能に構成されることを特徴とする請求項４記載のカードホルダ。
【請求項６】
挿入された前記小型情報記録カードに対する前記カードホルダの挿入方向の保持力が、電子機器に装着した前記小型情報記録カードを当該電子機器のスロットから引き抜く際の抜脱力よりも大きくなるように構成したことを特徴とする請求項１ないし５のいずれか１項記載のカードホルダ。
【請求項７】
前記ホルダ室は、前記小型情報記録カードの電気的接続部が配置された部分を露出させた状態で、前記小型情報記録カードを保持していることを特徴とする請求項１ないし６のいずれか１項記載のカードホルダ。
【請求項８】
前記ホルダ室に保持された前記小型情報記録カードを覆うカバーを備えたことを特徴とする請求項１ないし７のいずれか１項記載のカードホルダ。
【請求項９】
電子機器の一部に取付けた紐部を有する携帯ストラップであって、
前記紐部は、請求項１ないし８のいずれか１項記載のカードホルダを取付ける取付手段を有することを特徴とする携帯ストラップ。
【発明の詳細な説明】
【０００１】
【発明の属する技術分野】
本発明は、ＳＤカード（後述するｍｉｎｉＳＤカードも含む）などのメモリカードやＳＩＭカードなどのＩＣカードなどを装着することができるカードホルダ及びこれを取付けた携帯ストラップに関する。
【０００２】
【従来の技術】
ＰＤＡ，デジタルカメラなどのような小型で携帯に都合のよい電子機器にあっては、通常、各種のデータなどを保存しておくために、小型で着脱自在の情報記録媒体、例えばＳＤ（Ｓｕｂｓｃｒｉｂｅｒ  Ｉｄｅｎｔｉｔｙ  Ｍｏｄｕｌｅ）カード、ＣＦ（Ｃｏｍｐａｃｔ  Ｆｌａｓｈ）、スマートメディア、メモリースティックなどのメモリカードを着脱自在に装着可能となっている。
【０００３】
一方、携帯電話機などの携帯端末機器については、例えばＧＳＭ帯（Ｇｌｏｂａｌ  Ｓｙｓｔｅｍｓ  ｆｏｒ  Ｍｏｂｉｌｅ  ｃｏｍｍｕｎｉｃａｔｉｏｎｓ）携帯電話などにおいて、グローバルローミングとともに、電話番号、ユーザＩＤ、通話料金などの情報を記録させるために、ＳＩＭ（Ｓｕｂｓｃｒｉｂｅｒ  Ｉｄｅｎｔｉｔｙ  Ｍｏｄｕｌｅ  ｃａｒｄ）カード或いはＵＩＭ（Ｕｓｅｒ  Ｉｄｅｎｔｉｆｉｃａｔｉｏｎ  Ｍｏｄｕｌｅ；ＩＭＴ−２０００の加入者情報モジュール）カードなどの着脱可能なＩＣカードがすでに使用されている。また、最近、携帯電話機などでは、ＳＤカード、ＣＦカード、マルチ小型情報記録カード、スモールＰＣカードなどのメモリカードを着脱自在に装着できるものも開発され始めている。
【０００４】
ところで、前述したように、ＳＤカード、ＣＦ、スマートメディア、メモリースティックなどのメモリカードやＳＩＭカード或いはＵＩＭカードなどのＩＣカードなど（以下、これらをすべてまとめて「小型情報記録カード」とよぶ）は、携帯電話機などの携帯端末機器やＰＤＡ、デジタルカメラ、小型ゲーム機器などの各種の小型電子機器（これらをまとめて「電子機器」とよぶ）に設けてあるスロットへ着脱自在に装着するようになっているが、この小型情報記録カードは小型で薄型であるため、電子機器への装着、交換、或いは携行などの際に、紛失しやすい。
【０００５】
そこで、この種の小型情報記録カードにあっては、特殊なホルダにより小型情報記録カードを挟み込んで保持することにより紛失防止が図れるとともに、小型情報記録カードを直接手で摘むことなく電子機器に装着をさせることができるカードホルダが提案されている（例えば特許文献１参照）。
【０００６】
さらに、小型情報記録カードを携帯電話機のストラップに束ねて閉じておき、使用する小型情報記録カードをストラップに閉じた状態のまま携帯電話機のスロットへ差し込ませるようにした携帯ストラップも提案されている（例えば特許文献２及び特許文献３参照）。
【０００７】
【特許文献１】
特開２００３−３２３号公報（段落［００１９］−［００２２］）
【特許文献２】
特開２００１−６７４２２号公報（段落［００６５］）
【特許文献３】
特開２００１−２１６４８１号公報（段落［０００９］）
【０００８】
【発明が解決しようとする課題】
ところで、上記した特許文献１に記載のカードホルダでは、携帯電話機に挿入した小型情報記録カードを携帯電話機から取外して引き出すときに、指先などを使わずに取外すことができるので、その点では都合が良い。
ところが、ホルダに収納してある小型情報記録カードを携帯電話機に収納してある小型情報記録カードと交換するために入れ替えるような場合には、例えば、少なくともいずれか一方の小型情報記録カードを指で摘んで一時的に持っておくか、携帯電話機から引き抜いた小型情報記録カードを一時的にどこかに保存しておかなければいけない、という問題がある。
【０００９】
また、特許文献２や特許文献３に記載の携帯ストラップでは、小型情報記録カードを携帯電話機のストラップに吊り下げることはできるが、そのストラップに吊り下げてある小型情報記録カードを携帯電話機に装着させるような操作を行う場合には、指などで摘んで差込んだり、取出したりするといったことが必要である。従って、操作性が好ましいものではない、という問題がある。
【００１０】
さらに今後、例えばＳＤカードに比べて表面積で４０％、体積で６０％以上の小型化を実現することができる  ｍｉｎｉＳＤカード（米．サンディスク社製）のように一層小さな小型情報記録カードが普及してくると、小型情報記録カードの抜差しの際に落としたり、紛失したりする可能性が高くなる。
【００１１】
そこで、本発明は、上記した事情に鑑み、小型情報記録カードの抜差しの際に落としたり、紛失したりする虞のない、保管管理に優れたカードホルダ及びこのカードホルダを取付けた携帯ストラップを提供することを目的とするものである。
【００１２】
【課題を解決するための手段】
この発明のカードホルダは、小型情報記録カードを保持するカードホルダであって、
前記小型情報記録カードの一部を収容するホルダ室と、
前記小型情報記録カードと係合して前記小型情報記録カードを前記ホルダ室内に保持する係合手段とを有している。
【００１３】
この構成により、小型情報記録カードの抜差しの際に落としたり、紛失したりする虞のない、保管管理に優れたカードホルダが実現できる。従って、いつでもどこでも必要なときに、小型情報記録カードを電子機器へ装着できるようになり、例えば外出などの際に携行しても、紛失するのを防止できる。
【００１４】
この発明のカードホルダは、前記係合手段が、前記ホルダ室に設けた弾性突起又は窪みからなる係合部で構成し、
前記係合部は、前記小型情報記録カードの表面に設けた被係合部を構成する窪み又は弾性突起に係合する構成を有している。
【００１５】
この構成により、従来の小型情報記録カードに対して、窪み又は弾性突起を設けるといった最小限の変更で、紛失したりする虞のない安全性の高いカードホルダ用の小型情報記録カードを形成することができる。
【００１６】
また、この発明のカードホルダは、前記ホルダ室が、
前記小型情報記録カードを挿入のための第１の開口部と、
前記第１の開口部への前記小型情報記録カードの挿入方向とは異なる方向に前記小型情報記録カードを抜出するための第２の開口部と
を有する構成となっている。
【００１７】
この構成により、小型情報記録カードの挿入方向と抜出方向とを分けることで、挿入の際の小型情報記録カードの保持（弾性）力と、抜出の際の小型情報記録カードの抜出（弾性）力との大きさに違いを設け、手などを使わずにカードホルダを用いて電子機器との間での小型情報記録カードの確実な着脱操作の切替えを可能にすることができる。
【００１８】
また、この発明のカードホルダは、前記第２の開口部を塞いで前記小型情報記録カードを抜出するのを阻止する方向に移動可能な抜出阻止手段を備えた構成を有している。
【００１９】
この構成により、抜出阻止手段が小型情報記録カードを抜出する方向の進路を塞ぐことができるので、小型情報記録カードを抜出するのを阻止することができる。また、これと同時に、抜出阻止手段に対してカードホルダが相対移動するため、小型情報記録カードの挿抜もスムーズに行なえるようになり、同様に、手などを使わずに小型情報記録カードの挿抜動作を容易に行うことができる。
【００２０】
また、この発明のカードホルダは、前記抜出阻止手段が、前記カードホルダの本体部分を両側から挟み込む２本のレールを含み、
前記ホルダ室は、前記２本のレールの間を移動可能にされる構成を有している。
【００２１】
この構成により、すでにカードホルダの本体部分に取付けられている小型情報記録カードを２本のレールで挟み込めるため、小型情報記録カードをレールで保護して破損や折損などのトラブルを防止できる。さらに、レールに沿ってカードホルダが移動できるため、先の発明と同様に、小型情報記録カードの挿抜動作が簡単にできるようになる。
【００２２】
また、この発明のカードホルダは、挿入された前記小型情報記録カードに対する前記カードホルダの挿入方向の保持力が、電子機器に装着した前記小型情報記録カードを当該電子機器のスロットから引き抜く際の抜脱力よりも大きくなる構成を有している。
【００２３】
この構成により、電子機器に装着させていた小型情報記録カードを引き抜く際に、手などで把持しなくてもカードホルダを介して、簡単に引抜いて取出すことができる。
【００２４】
また、この発明のカードホルダは、前記ホルダ室が、前記小型情報記録カードの電気的接続部が配置された部分を露出させた状態で、前記小型情報記録カードを保持している構成を有している。
【００２５】
この構成により、カードホルダを介して電子機器との間での小型情報記録カードの着脱する際に、コネクタ接続部が電子機器のスロットに臨む配置となるので、手などを使わずに小型情報記録カードを着脱する場合に、電子機器のスロット内にあるコネクタとの接続ができるようになる。
また、特に、例えばすでに１枚の小型情報記録カードがホルダに固定されている状態でも、電子機器に挿入されている別の小型情報記録カードを、指先などを使わずにカードホルダを用いて容易に抜出して取出すことができる。
【００２６】
また、この発明のカードホルダは、前記ホルダ室に保持された前記小型情報記録カードを覆うカバーを備えた構成を有している。
【００２７】
この構成により、小型情報記録カードがカバーで保護されるので、カードホルダに対して小型情報記録カードの脱落防止機能と保護機能との双方を付与することができる。同時にカバーに対してカードホルダが移動するため、小型情報記録カードの挿抜動作がスムーズに行なえる。また、液晶パネルを有する電子機器に対して、カバーを液晶パネル面のよごれふきとしても用いることもできる。
【００２８】
また、この発明の携帯ストラップは、電子機器の一部に取付けた紐部を有する携帯ストラップであって、前記紐部は、前述のいずれかの発明のカードホルダを取付ける取付手段を有する構成となっている。
【００２９】
この構成により、小さくて紛失し易いバックアップ用あるいは交換用の小型情報記録カードを見失ってあちこち探し回る、といったことがなく、常時携行することができる。
【００３０】
【発明の実施の形態】
以下、本発明の実施の形態のカードホルダ及びこれを取付けたストラップについて、添付図面を用いて説明する。
［第１の実施形態］
本発明の第１の実施形態のカードホルダ１を図１に示す。図１において、カードホルダ１は、小型情報記録カード、例えば本実施形態の場合には、携帯電話機のメモリ用のＳＤカード２を保持して収納するものであり、後述するストラップに適宜の手段で取付けられている。
【００３１】
このＳＤカード２には、図２に示すように、後述する係合手段の一部を構成する被係合部を表面（図２では上面）に有している。この被係合部は、本実施形態では、ＳＤカード２の一端面（これを係合端面２１とよぶ）に沿って直線状に形成した断面略コ字状を有する窪み２２で構成されており、この窪み２２がある係合端面２１の方からＳＤカード２をカードホルダ１に差し込んで係合させるようになっている。また、この直線状に形成した断面略コ字状を有する窪み２２は、カードを指先で取出す際に、途中から爪などで引っ掛けて引き抜けるようにもなっている。
【００３２】
また、このＳＤカード２には、切欠き２Ａを設けてある一面に近接し、かつ、係合端面２１とは反対側の端面（これをコネクタ接続端面２３とよぶ）寄りの表面（図２では上面）に、コネクタ接続部（図略）を設けており、携帯電話機器４のスロット４１にこのＳＤカード２を装着させると、スロット４１に臨んで携帯電話機器４の内部に設けたコネクタとＳＤカード２との間の電気的な接続を図ることができるようになっている。
これにより、カードホルダ１を介して、つまりカードホルダ１を用いて、携帯電話機器４との間でのＳＤカード２の着脱操作を行う際に、ＳＤカード２のコネクタ接続部が携帯電話機器４のスロット４１に臨む配置関係となるので、手などを使わずにＳＤカード２を携帯電話機器４のスロット４１へ装着させても、このスロット内にある図示外のコネクタとの接続が確実に行えるように構成されている。
【００３３】
一方、カードホルダ１には、図１及び図３に示すように、ＳＤカード２の少なくとも一部領域を収容して保持するホルダ室１１と、このＳＤカード２の窪み２２と弾性的に係合してＳＤカード２を保持する係合手段とをカードホルダ本体１０に有している。
【００３４】
このうち、ホルダ室１１は、図１に示すように、小型情報記録カード３の少なくとも一部の領域を挿入させて収容する空間スペースであって、１８０度配置をずらした点対称の位置関係で、互いに向かい合わせにして２室設けてある。これにより、例えば、カードホルダ１の空いている一方のホルダ室１１を用いて、携帯電話機器４に装着していたＳＤカード２を引き抜き、カードホルダ１の他方のホルダ室１１に保持していた別のＳＤカード２を新たに携帯電話機器４に装着させることが行えるようになっている。つまり、ホルダ室１１が２つ設けてあるので、一方のホルダ室１１にＳＤカード２を収容・保持させた状態にしておきながら、他方のホルダ室１１では、携帯電話機器４からＳＤカード２を引き抜いて収容させることができるわけである。
【００３５】
また、このホルダ室１１には、図１に示すように、ＳＤカード２を挿入する第１の開口部（以下、これを「入口」とよぶ）１１Ａと、この入口１１ＡへのＳＤカード２の挿入（Ａ）方向とは異なるＢ方向からＳＤカード２を抜出する第２の開口部（以下、これを「出口」とよぶ）１１Ｂとを有している。
このように、ＳＤカード２の挿入（Ａ）方向と抜出（Ｂ）方向とを分離することで、挿入の際のＳＤカード２の保持（弾性）力と、抜出の際のＳＤカード２の抜出（弾性）力との大きさに違いを設けることができるようになる。その結果、後述するように、手を使わずにカードホルダ１を介して、携帯電話機器４との間でのＳＤカード２の確実な着脱操作の切替が行えるようになっている。
【００３６】
一方、係合部は、本実施形態の場合、適宜の弾性材料で形成しこれらのホルダ室１１の内面（図３では天井面）に取付けた弾性突起１２で構成している。この弾性突起１２は、先端部分がテーパ状を呈し略四角柱状（円柱状でもよい）に形成された（或いは一体の細長い長尺柱状でもよい）複数個のもので構成されており、例えば本実施形態の場合、少なくともＳＤカード３の窪み２２の両端部に挿入して係合される２個のもので構成されている。
【００３７】
また、この弾性突起１２には、一旦ホルダ室１１に挿入されたＳＤカード２が挿入（Ａ）方向とは逆の（−Ａ）方向に引張っても、弾性突起１２に嵌った状態のままで抜出させることができないようにするため、例えば図４に示すように、一方向のみに移動を許容するための手段（以下、これを「抜脱許容手段１３」とよぶ）を付設している。
【００３８】
即ち、この抜脱許容手段１３は、カードホルダ本体１０において、弾性突起１２を取付けるＳＤカード２の弾性突起１２周囲の裾野部のうち、前述したＳＤカード２の挿入（Ａ）方向について正対する面（以下、これを「第１面１２Ａ」とよぶ）の近傍に短尺薄肉部１３Ａを有するとともに、この第１面１２Ａとは反対面（以下、これを「第２面１２Ｂ」とよぶ）の近傍に長尺薄肉部１３Ｂを有することにより、ＳＤカード２の挿入の際に、弾性突起１２が挿入（Ａ）方向に屈曲しやすくなるように構成している。
【００３９】
そして、入口１１Ａからホルダ室１１へＳＤカード２を挿入・保持させたときのＳＤカード２に対するカードホルダ１の保持力は、携帯電話機器４に装着させたＳＤカード２を携帯電話機器４のスロット４１から引き抜く際に必要な抜出力よりも大きくなるように、短尺薄肉部１３Ａや長尺薄肉部１３Ｂなどの膜厚が調整されている。
これにより、携帯電話機器４に装着させていたＳＤカード２を引抜く際に、手で把持しなくても、カードホルダ１を介して、確実に、かつ、簡単に取り出すことができるように構成されている。
【００４０】
また、この抜脱許容手段１３には、カードホルダ本体１０において、弾性突起１２を取付けるＳＤカード２の弾性突起１２周囲の裾野部のうち、前述したＳＤカード２の抜脱（Ｂ）方向を正面とする面（以下、これを「第３面１２Ｃ」とよぶ）の近傍に長尺薄肉部１３Ｃを有するとともに、この第３面１２Ｃとは反対面（以下、これを「第４面１２Ｄ」とよぶ）の近傍に短尺薄肉部１３Ｄを有することにより、ＳＤカード２の抜脱の際に、弾性突起１２が抜脱（Ｂ）方向に屈曲しやすくなるように構成している。
【００４１】
そして、ホルダ室１１に保持されたＳＤカード２を出口１１Ｂから引き抜く際の抜出力は、ＳＤカード２に携帯電話機器４に装着させたときの携帯電話機器４でのＳＤカード２に対する保持力よりも小さくなるように、長尺薄肉部１３Ｃや短尺薄肉部１３Ｄなどの膜厚が調整されている。
これにより、カードホルダ１に保持させていたＳＤカード２を引き抜いて携帯電話機器４に装着する際に、手で把持しなくても、カードホルダ１を介して、確実に、かつ、簡単に取り出すことができるように構成されている。
【００４２】
なお、以上説明してきた本実施形態では、小型情報記録カードとして、少なくともＰＣカードよりも小型で各種の情報が記録され携帯電話機に着脱自在に装着するＳＤカードを用いたが、これ以外の各種のメモリカードでも同様に実施可能である。また、さらに、この小型情報記録カードとして、ＳＩＭカード或いはＵＩＭカードなどのＩＣカードでも同様に実施可能である。
従って、例えばこのＳＤカード２のようなメモリカードをカードホルダ１に収納保管して予備に携行すれば、外出先でメモリが不足したときにも迅速に対応できる。また、同様に、例えば別の通信会社のグローバルローミング専用のカードなどのようなＩＣカードをカードホルダ１に収納保管して予備に携行してあれば、外出先で海外通話を行いたいときに、別の通信会社により即座に通話可能となる。
【００４３】
また、以上説明してきた本実施形態では、電子機器として、携帯電話機４を用いたが、これ以外の各種の電子機器、例えばＰＤＡ、デジタルカメラ、小型ゲーム機器などのような各種の小型電子機器などであっても、同様に実施可能である。
【００４４】
次に、以上のように構成されたカードホルダ１の本実施形態の挿着操作及び抜脱操作について説明する。
（１）カードホルダ１から携帯電話機器４へＳＤカード２を装着する場合：
▲１▼初めに、図５に示すように、カードホルダ１に収容されているＳＤカード２は、係合手段であるカードホルダ１のホルダ室１１に設けた弾性突起１２がＳＤカード２の表面（上面）に設けた窪み２２に嵌入して双方が係合された状態で保持されている。
なお、このような係合状態では、例えば図３に示すように、挿入（Ａ）方向とは反対（−Ａ）方向にＳＤカード２を引き抜こうとすると、抜脱許容手段１３の作用により、ＳＤカード２の反対（−Ａ）方向への移動に追従した弾性突起１２の反対（−Ａ）方向への移動動作が阻止されており、図５（Ａ）において、反対（−Ａ）方向についてはロック状態になっている。
【００４５】
▲２▼そこで、図５（Ａ）に示すように、ＳＤカード２のコネクタ接続端面２３の方から携帯電話機器４のスロット４１へＳＤカード２を差し込んで行く。つまり、カードホルダ１をＳＤカード２ごと携帯電話機器４に向けて反対（−Ａ）方向に押し込んでいく。
▲３▼これにより、ＳＤカード２のコネクタ接続端面２３寄りに設けたコネクタ接続部がスロット４１内部のコネクタに接触導通され、コネクタにコネクタ接続部が固定された状態となる。
【００４６】
▲４▼そこで、カードホルダ１をＳＤカード２の抜出（Ｂ）方向とは反対（−Ｂ）方向に移動させて携帯電話機器４のスロット４１から分離させる。別言すれば、携帯電話機器４のスロット４１からＳＤカード２を残してカードホルダ１を離間させるが、このためには、同図（Ｂ）に示すように、ＳＤカード２が相対的に抜出（Ｂ）方向へ移動するのと実質的に同等となるように、カードホルダ１を−Ｂ方向に移動させればよい。
▲５▼すると、抜脱許容手段１３の作用により、弾性突起１２がＳＤカード２の挿入方向に曲がるのを許容するので、ＳＤカード２をカードホルダ１から抜脱させることができる。
なお、ここで、カードホルダ１からＳＤカード２が抜け出すときの脱出力は、前述したように、コネクタにコネクタ接続部が固定された状態のときの保持力よりも小さく設定されているので、カードホルダ１からＳＤカード２が確実に抜け出すことができる。
【００４７】
▲６▼このようにして、指先などを使用してカードホルダ１からＳＤカード２を取り出したり、取り出したＳＤカード２を指で摘んで携帯電話機器４のスロットへ押し込ませるといった操作が必要ない。即ち、カードホルダ１を持ったままの状態で、カードホルダ１からＳＤカード２を取り出し、さらに引き続いてＳＤカード２の携帯電話機器４への装着が簡単な操作で、つまり前進押込み操作と横移動操作との都合２アクションで実行できるようになる。
【００４８】
（２）携帯電話機器４へ装着されていたＳＤカード２を取出してカードホルダ１へ収容する場合：
▲１▼カードホルダ１のホルダ室１１を携帯電話機器４に装着されているＳＤカード２の方に向けて近づけて行く。そして、空であるホルダ室１１にＳＤカード２を押込ませるように、ＳＤカード２に向けてカードホルダ本体１０を押出し、ＳＤカード２をホルダ室１１に挟み込ませるようにして挿入する。
【００４９】
▲２▼次に、カードホルダ本体１０をＳＤカード２の挿入（Ａ）方向と平行な方向に後退させることにより、ＳＤカード２を携帯電話機器４から抜出させることができる。これにより、ＳＤカード２を手などで把持しなくても、カードホルダ１を用いるだけでホルダ室１１へ収容することができる。
【００５０】
このような本発明の第１の実施形態によれば、従来の小型情報記録カードに対して、窪み２２を設けるといった最小限の変更で、紛失したりする虞のない安全性の高いカードホルダ１用のＳＤカード２を形成することができる。
また、ＳＤカード２の挿入（Ａ）方向と抜出（Ｂ）方向とを分けることで、挿入の際のＳＤカード２の保持（弾性）力と、抜出の際のＳＤカード２の抜出（弾性）力との大きさに違いを設け、手などを使わずにカードホルダ１だけ用いて電子機器との間でのＳＤカード２の確実な着脱操作の切替えを可能にすることができる。
【００５１】
［第２の実施の形態］
次に、本発明の第２の実施形態のカードホルダを図６に示す。なお、本実施形態において、第１の実施形態と同一部分には同一符号を付して重複説明を避ける。
図６において、カードホルダ１は、カードホルダ本体１０と、このカードホルダ１０を保護する筐体５と、この筐体５に対してカードホルダ本体１０を一定方向（図６では手前側及び奥部側に向かう前後方向）にスライド動作させＳＤカード２の抜出しを阻止する抜出阻止手段６とを備えている。
【００５２】
筐体５は、カードホルダ本体１０の左右両面（以下、これをスライド面とよぶ）を囲む左右一対の側板５１と、これらの側板５１を一体に固着する上下一対の面板（図６では天板となる）５２及び面板（図６では床板となる）５３とで形成しており、前後方向が開口して貫通する中空略箱状の扁平角筒体を構成している。
【００５３】
抜出阻止手段６は、前述したＳＤカード２の抜出しを阻止するのと同時に、電子機器との間でのＳＤカード２の抜取りや差出しも容易に行わせるものであり、ＳＤカード２のカードホルダ本体１０の一部がこの筐体５０から外部に飛び出すところまで前後方向に平行移動させるようになっている。このため、抜出阻止手段６は、カードホルダ１のスライド面に設けた係合突起（図示せず）と、この係合突起がスライド自在に係合する各側板５１に穿設した係合穴（「スライドレール」を構成する）５１Ａと、面板５２、５３に開口した長孔５２Ａ、５３Ａ（図６では５２Ａのみ図示されている）と、カードホルダ本体１０の上下両面に設け長孔５２Ａ、５３Ａから外部に突出する操作ノブ１０Ａとを備えており、この操作ノブ１０Ａの操作によって筐体５０の外部からカードホルダ本体１０のスライド操作を容易に行えるようになっている。なお、長孔５２Ａ、５３Ａには、図６（Ｂ）に示すように、操作ノブ１０Ａを一時的にロック状態を保持するために、ロック爪５２Ｂ，５３Ｂ（５２Ｂのみ図示する）を設けている。
【００５４】
次に、以上のように構成されたカードホルダ１について、図７を用いてその動作を説明する。
（１）携帯電話機器４のスロットに装着されているＳＤカード２を引き抜いてカードホルダの本体１０に挿入して収容する場合：
▲１▼カードホルダ本体１０はスライドレールを構成する係合穴５１Ａに沿って平行に移動させることができるようになっている。従って、初めに、操作ノブ１０Ａを用いて、図７（Ａ）に示すように、カードホルダ本体１０を筐体５０の手前（−Ａ）方向にスライドさせる。
【００５５】
▲２▼そして、携帯電話機器４に装着されているＳＤカード２を空いているホルダ室１１に押込ませるように、ＳＤカード２に向けてカードホルダ本体１０を押出し、同図（Ｂ）に示すように、ＳＤカード２をホルダ室１１に挟み込ませるように挿入する。
▲３▼その後、同図（Ｃ）に示すように、カードホルダ本体１０を筐体５０の最奥部側のロック部まで後退させると、ＳＤカード２を筐体５０内部に完全に収容させることができるので、外部からの衝撃などに対してＳＤカード２を保護することができる。
【００５６】
（２）反対側のホルダ室１１（図７（Ｄ）参照）に収容されていたＳＤカード２を新たに携帯電話機器４のスロット４１に装着させる場合：
▲１▼カードホルダ本体１０の手前側と奥部側とを前後逆向きにしてから、操作ノブ１０Ａの操作により、カードホルダ本体１０とともに奥部側のホルダ室１１に既に収容されていたＳＤカード２を筐体５に対してスライドさせ、携帯電話機器４のスロットに向けて押し出す。
【００５７】
▲２▼そして、ＳＤカード２のコネクタ接続端面２３を先頭にして携帯電話機器４のスロットに押込ませて所定位置に装着するが、このときＳＤカード２の係合端面２１はまだカードホルダ本体１０のホルダ室１１に収容された状態のままである。
▲３▼そこで、携帯電話機器４のスロットに装着させた状態のまま、第１の実施形態のときと同様に、ＳＤカード２が相対的（実質上）に抜出するＢ方向となるように、カードホルダ本体１０を（−Ｂ）方向に移動させる。これにより、ＳＤカード２がカードホルダ本体１０のホルダ室１１から抜け出すことができるようになる。
【００５８】
このような本発明の第２の実施形態によれば、抜出阻止手段がＳＤカード２を抜出する方向の進路を塞ぐことができるので、ＳＤカード２が誤って抜出するのを阻止することができる。また、抜出阻止手段に対してカードホルダ１が相対移動するため、ＳＤカードの挿抜もスムーズに行なえるようになり、手などを使わずにＳＤカード２の挿抜動作を容易に行うことができる。
また、すでにカードホルダ１の本体１０に取付けられているＳＤカードを２本のレールで挟み込めるため、ＳＤカード２をレールで保護して破損や折損などのトラブルから防止できる。さらに、レールに沿ってカードホルダ１が移動できるため、第１の実施形態と同様に、ＳＤカード２の挿抜動作が簡単にできるようになる。
【００５９】
［第３の実施の形態］
次に、本発明の第３の実施形態のカードホルダを図８に示す。なお、本実施形態において、第１の実施形態と同一部分には同一符号を付して重複説明を避ける。
図８において、カードホルダ１は、カードホルダ本体１０と、このカードホルダ１０を覆って保護するカバー７とを備えている。
【００６０】
このカバー７は、前後方向が開口して貫通する中空断面略メニスカス状の扁平筒体を構成しており、このカバー７内部には図示しないスライドレールを設けており、カードホルダ本体１０がこのスライドレールに沿って前後方向にスライド移動することにより、前後どちらのホルダ室１１からでもＳＤカード２を挿抜できるようになっている。
【００６１】
このような本発明の第３の実施形態によれば、簡易な構造のカバー７を用いることにより、カードホルダ本体１０に、ＳＤカード２の脱落防止機能と保護機能との双方を付与することができる。しかも、このカバー７は、ＳＤカード２を装着させる電子機器に設けてある液晶パネル面のよごれふきとしても兼用することができる。
【００６２】
［第４の実施の形態］
次に、本発明の第４の実施形態の携帯ストラップ３を図９及び図１０に示す。図９及び図１０において、携帯ストラップ３は、小型電子機器である携帯電話機４に取付ける係止紐部３１と、閉合部３２と、紐部３３とを備えているが、特に本実施形態では、ＳＤカード２を保持するカードホルダ本体１０に設けた図示外の取付手段により、そのカードホルダ本体１０が紐部３２から外れないように取付けてある。
【００６３】
取付手段は、本実施形態では、カードホルダ本体１０において、ＳＤカード２の挿入動作および抜出動作の邪魔にならない部位に形成した図示外の透孔で構成してあるが、特にこれに限定されるものではない。
【００６４】
このような本発明の第４の実施形態の携帯ストラップ３によれば、第１の実施形態と同じカードホルダ本体１０を用いているので、カードホルダ本体１０を紐部３３に取付けた状態のまま、カードホルダ本体１０に収容したＳＤカード２を携帯電話機４のスロットへ装着させること可能である。
【００６５】
なお、以上の説明では、取付手段をカードホルダ本体１０に開口した透孔で構成した例について説明したが、筐体５又はカバー７に透孔を開口させても、同様に実施可能である。
【００６６】
【発明の効果】
以上説明したように、本発明は、小型情報記録カードを保持するカードホルダであって、小型情報記録カードの一部を収容するホルダ室と、小型情報記録カードと係合して小型情報記録カードをホルダ室内に保持する係合手段とを有することにより、小型情報記録カードの抜差しの際に落としたり、紛失したりする虞のない保管管理に優れた効果を有するカードホルダを提供することができるものである。
【図面の簡単な説明】
【図１】（Ａ）は本発明の第１の実施形態におけるＳＤカードをカードホルダに挿入するときの状態を示す概略斜視図
（Ｂ）は本発明の第１の実施形態におけるＳＤカードをカードホルダに挿入するときの状態を示す概略斜視図
【図２】（Ａ）は本発明の第１の実施形態におけるＳＤカードを示す平面図
（Ｂ）は（Ａ）におけるＩＩ−ＩＩ線断面図
【図３】（Ａ）は本発明の第１の実施形態におけるＳＤカードとカードホルダとを係合させる係合手段を示す説明図
（Ｂ）は本発明の第１の実施形態における係合手段の作用を示す説明図
【図４】本発明の第１の実施形態における係合手段である弾性突起の周辺に設けた抜脱許容手段を示す断面図
【図５】（Ａ）は本発明の第１の実施形態におけるカードホルダに保持してあるＳＤカードを、電子機器に差し込む直前の状態を示す説明図
（Ｂ）は本発明の第１の実施形態におけるカードホルダを、電子機器に差し込んだ直後のＳＤカードから取り外すときの状態を示す説明図
【図６】（Ａ）は本発明の第２の実施形態におけるカードホルダ本体とこれに付設した筐体及びスライド手段を示す概略斜視図
（Ｂ）は本発明の第２の実施形態における筐体に設けた長孔のロック係止爪を示す要部拡大斜視図
【図７】（Ａ）は本発明の第２の実施形態におけるカードホルダにＳＤカードを挿入する直前の状態を示す概略斜視図
（Ｂ）は本発明の第２の実施形態におけるカードホルダにＳＤカードを挿入した直後の状態を示す概略斜視図
（Ｃ）は本発明の第２の実施形態におけるカードホルダにＳＤカードを完全に収納させたときの状態を示す概略斜視図
（Ｄ）は（Ｃ）の状態のカードホルダを前後１８０度反転させたときの状態を示す概略斜視図
【図８】本発明の第３の実施形態におけるカバーを取付けたカードホルダを示す斜視図
【図９】本発明の第４の実施形態における携帯ストラップに本発明の第１の実施形態のカードホルダを取付けた状態を示す説明図
【図１０】本発明の第４の実施形態における携帯ストラップに取付けた本発明の第１の実施形態のカードホルダからＳＤカード挿入しているときの状態を示す説明図
【符号の説明】
１      カードホルダ
１０    カードホルダ本体
１０Ａ  操作ノブ（スライド手段）
１１    ホルダ室
１１Ａ  入口
１１Ｂ  出口
１２    弾性突起（係合手段；係合部）
１３    抜脱許容手段
１３Ａ  短尺薄肉部
１３Ｂ  長尺薄肉部
１３Ｃ  長尺薄肉部
１３Ｄ  短尺薄肉部
２      ＳＤカード（小型情報記録カード）
２１    係合端面
２２    窪み（係合手段；被係合部）
３      携帯ストラップ
３１    係止紐部
３２    閉合部
３３    紐部
４      携帯電話機器
４１    スロット
５      筐体
５１    側板
５１Ａ  係合穴（スライドレール）
５２Ｂ，５３Ｂ
ロック爪
６      スライド手段
Ａ      挿入方向
Ｂ      抜出方向
【図１】
2004326550.tif 000003
【図２】
2004326550.tif 000004
【図３】
2004326550.tif 000005
【図４】
2004326550.tif 000006
【図５】
2004326550.tif 000007
【図６】
2004326550.tif 000008
【図７】
2004326550.tif 000009
【図８】
2004326550.tif 000010
【図９】
2004326550.tif 000011
【図１０】
2004326550.tif 000012